(57)【要約】【課題】既設の墓石に対する文字、図形等の追加的彫刻を、さしたる労力、時間及びコストをかけることなく、しかも、墓石及びその周囲を汚したり傷付けたりすることなく行うことが可能な墓石彫刻方法、及び、それに用いる作業用ケースを提供することを課題とする。【解決手段】墓石の彫り込み個所を洗浄する工程、墓石の彫り込み個所に選択したデザインシート１４を貼り付ける工程、墓石に作業用ケース１を含むサンドブラストセットを取り付ける工程、サンドブラストノズル７でデザインシート１４の彫り込みデザイン部分１４ａにサンドブラスト処理を行う工程、サンドブラストセットを墓石から取り外す工程、サンドブラストによって彫り込んだ部分にエアブラシで着色する工程、及び、着色部分の乾燥後にデザインシートを除去する工程から成る。  【選択図】図１
2011011319.tif 000002
【特許請求の範囲】
【請求項１】
墓石の彫り込み個所を洗浄する工程、前記墓石の彫り込み個所に選択したデザインシートを貼り付ける工程、前記墓石にサンドブラストセットを取り付ける工程、前記サンドブラストセットにより前記デザインシートの彫り込みデザイン上にサンドブラスト処理を行う工程、前記サンドブラストセットを前記墓石から取り外す工程、前記サンドブラストによって彫り込んだ部分にエアブラシで着色する工程、及び、前記着色部分の乾燥後に前記デザインシートを除去する工程から成る墓石彫刻方法。  
【請求項２】
前記サンドブラストセットは作業用ケースを含み、前記作業用ケースは、前記墓石の彫り込み面に密着状態に取り付け可能であり、前記墓石の彫り込み面に密着する面に彫り込み範囲をカバーする大きさの作業用開口を有し、また、前記彫り込み部分を外部から透視可能である、請求項１に記載の墓石彫刻方法。
【請求項３】
前記作業用ケースには、サンドブラスト装置のコード引き込み口と、作業者の手挿入口と、排塵口とが形成され、前記作業者の手挿入口には作業者の腕を挿通する腕カバーが設置され、前記排塵口には集塵機の集塵ホースが接続される、請求項２に記載の墓石彫刻方法。
【請求項４】
前記作業用ケースの前面部には、ガラス材が装脱可能に配設されている、請求項２又は３に記載の墓石彫刻方法。
【請求項５】
前記作業用ケースの前記作業用開口の周縁部にはパッキンが配設されている、請求項２乃至４のいずれかに記載の墓石彫刻方法。
【請求項６】
前記墓石に対する前記サンドブラストセットの取り付けは、前記作業用ケースから前記墓石にかけて緊締バンドを掛け回すことにより行う、請求項１乃至５のいずれかに記載の墓石彫刻方法。
【請求項７】
前記エアブラシで着色する工程において、着色前に白色の下塗りを先行させる、請求項１に記載の墓石彫刻方法。
【請求項８】
前記エアブラシで着色する工程の最後に、金色塗料を薄く吹き付ける、請求項１に記載の墓石彫刻方法。
【請求項９】
墓石に彫刻を施す際に用いる作業用ケースであり、前記墓石の彫り込み面に密着状態に取り付け可能にされ、前記墓石の彫り込み面に密着する面に彫り込み範囲をカバーする大きさの作業用開口が形成され、前記彫り込み部分の外部からの透視が可能にされ、更に、サンドブラスト装置のノズルコード引き込み口と作業者の手挿入口と排塵口とが形成されて成ることを特徴とする、墓石彫刻作業用ケース。
【請求項１０】
前記作業者の手挿入口に、作業者の腕を挿通する腕カバーが設置された、請求項９に記載の墓石彫刻作業用ケース。
【請求項１１】
前記作業用ケースの前面部に開口が設けられ、前記開口にガラス材が装脱可能に配設された、請求項９又は１０に記載の墓石彫刻作業用ケース。
【請求項１２】
前記作業用ケースの前記作業用開口の周縁部にパッキンが配置された、請求項９乃至１１のいずれかに記載の墓石彫刻作業用ケース。
【請求項１３】
前記墓石に掛け回されるバンドを備えた、請求項９乃至１２のいずれかに記載の墓石彫刻作業用ケース。
【発明の詳細な説明】
【技術分野】
【０００１】
本発明は墓石彫刻方法、より詳細には、主に既設の墓石に対して事後、現地において彫刻による装飾加工を施すための墓石彫刻方法及びそれに用いる作業用ケースに関するものである。
【背景技術】
【０００２】
墓石には、予め彫刻作業場において死者の氏名、戒名、法名、逝去年月日等の文字や、家紋等の図形等が刻設され、墓地、霊園等に設置され、代々引き継がれていくものであるが、新たな埋葬者が出た場合にはその氏名等を追加刻設する必要があり、また、装飾等のために、新たな図形等を刻設したいとの要望が出ることもある。そのような場合の追加彫刻作業は一般に、墓石を墓地から運び出し、彫刻作業場において行っている。
【０００３】
上記墓石の運び出し作業、及び、作業場への搬送作業は、対象が非常に重い墓石であるために容易なことではなく、また、運び出し及び搬送作業に当たっては、墓石を傷付けることがないよう細心の注意を払いつつ作業を進めなければならず、そのために多くの時間と労力とが必要となり、更にコストが嵩む。
【０００４】
このような墓石の運び出し作業、及び、作業場への搬送作業に要する労力を軽減するために、彫刻装置を搭載していて、墓地近辺まで出向き、そこにおいて彫刻作業を行うことを可能にした彫刻作業車が提案されている（特開平１１−３４８０３０号公報）。しかし、その場合は、墓石の搬送距離が大幅に短縮されることはあっても、墓石の運び出し作業が必要となることに変わりはないので、作業労力軽減効果はそれ程期待できない。
【０００５】
このように、従来の方法によって既設の墓石に対して文字、図形等の追加彫刻を行う場合は、多くの労力、時間及びコストが必要となるため、追加的に彫刻を行って、古くなった墓石をきれいに装飾したいとの希望があっても、躊躇せざるを得ない場合が少なくないというのが現状である。
【先行技術文献】
【特許文献】
【０００６】
【特許文献１】特開平１１−３４８０３０号公報
【特許文献２】特開平９−２７８１１３号公報
【特許文献３】特許第３７７３３４５号公報
【特許文献４】特開２００８−５５８１５号公報
【発明の概要】
【発明が解決しようとする課題】
【０００７】
本発明は、従来、既設の墓石に対する文字、図形等の追加彫刻には多くの労力、時間及びコストが必要なために、当該追加彫刻は頻繁には行われず、古くなった墓石をきれいに装飾したいとの希望があっても躊躇せざるを得ない、という現状に鑑みてなされたものであって、既設の墓石に対する文字、図形等の追加的彫刻を、さしたる労力、時間及びコストをかけることなく、しかも、墓石及びその周囲を汚したり傷付けたりすることなく行うことが可能な墓石彫刻方法、及び、それに用いる作業用ケースを提供することを課題とする。
【課題を解決するための手段】
【０００８】
上記課題を解決するための請求項１に記載の発明は、墓石の彫り込み個所を洗浄する工程、前記墓石の彫り込み個所に選択したデザインシートを貼り付ける工程、前記墓石にサンドブラストセットを取り付ける工程、前記サンドブラストセットにより前記デザインシートの彫り込みデザイン部分にサンドブラスト処理を行う工程、前記サンドブラストセットを前記墓石から取り外す工程、前記サンドブラストによって彫り込んだ部分にエアブラシで着色する工程、及び、前記着色部分の乾燥後に前記デザインシートを除去する工程から成る墓石彫刻方法である。
【０００９】
好ましい実施形態においては、前記サンドブラストセットは作業用ケースを含み、前記作業用ケースは、前記墓石の彫り込み面に密着状態に取り付け可能であり、前記墓石の彫り込み面に密着する面に彫り込み範囲をカバーする大きさの作業用開口を有し、また、前記彫り込み部分を外部から透視可能なものとされる。また、前記作業用ケースには、サンドブラスト装置のノズルコード引き込み口と、作業者の手挿入口と、排塵口とが形成され、前記作業者の手挿入口には作業者の腕を挿通する腕カバーが設置され、前記排塵口に集塵機の集塵ホースが接続される。
【００１０】
更に好ましい実施形態においては、前記作業用ケースの前面部に、ガラス材が装脱可能に配設され、前記作業用ケースの前記作業用開口の周縁部にパッキンが配置される。前記墓石に対する前記サンドブラストセットの取り付けは、前記作業用ケースから前記墓石にかけて緊締バンドを掛け回すことにより行う。また、前記エアブラシで着色する工程において、着色前に白色の下塗りを先行させることが好ましく、また、前記エアブラシで着色する工程の最後に、金色塗料を薄く吹き付けてラメ効果を出すこともある。
【００１１】
上記課題を解決するための請求項９に記載の発明は、墓石に彫刻を施す際に用いる作業用ケースであり、前記墓石の彫り込み面に密着状態に取り付け可能にされ、前記墓石の彫り込み面に密着する面に彫り込み範囲をカバーする大きさの作業用開口が形成され、前記彫り込み部分の外部からの透視が可能にされ、更に、サンドブラスト装置のノズルコード引き込み口と作業者の手挿入口と排塵口とが形成されて成ることを特徴とする、墓石彫刻作業用ケースである。
【００１２】
好ましい実施形態においては、前記作業者の手挿入口に作業者の腕を挿通する腕カバーが設置され、前記作業用ケースの前面部に開口が設けられ、前記開口にガラス材が装脱可能に配設され、更に、前記作業用ケースの前記作業用開口の周縁部にパッキンが配置される。前記作業用ケースが、前記墓石に掛け回される緊締バンドを備える場合もある。
【発明の効果】
【００１３】
本発明に係る墓石彫刻方法は、上述したように、墓石の彫り込み個所を洗浄する工程、前記墓石の彫り込み個所に選択したデザインシートを貼り付ける工程、前記墓石にサンドブラストセットを取り付ける工程、前記サンドブラストセットにより前記デザインシートの彫り込みデザイン部分にサンドブラスト処理を行う工程、前記サンドブラストセットを前記墓石から取り外す工程、前記サンドブラストによって彫り込んだ部分にエアブラシで着色する工程、及び、前記着色部分の乾燥後に前記デザインシートを除去する工程から成るので、本発明に係る方法によれば、既設の墓石に対する文字、図形等の追加的彫刻を、さしたる労力、時間及びコストをかけることなく、しかも、墓石及びその周囲を汚したり傷付けたりすることなく行うことが可能となる効果があり、また、グラデーションをきれいに表現したり、ラメ効果を出したりすることも可能なる効果がある。
【００１４】
更に、本発明に係る墓石彫刻作業用ケースは、墓石の彫り込み面に密着状態に取り付け可能にされ、前記墓石の彫り込み面に密着する面に彫り込み範囲をカバーする大きさの作業用開口が形成され、前記彫り込み部分の外部からの透視が可能にされ、更に、サンドブラスト装置のノズルコード引き込み口と作業者の手挿入口と排塵口とが形成されて成るものであるので、簡易な構成で取り扱いやすく、これを用いることにより、墓石の追加的彫刻作業を、墓石を傷付けることなく、また、周囲を汚すことなく迅速に効率よく行うことが可能となる効果がある。
【図面の簡単な説明】
【００１５】
【図１】本発明に係る墓石彫刻方法に用いる本発明に係る作業用ケースの構成例を示す斜視図である。
【図２】本発明に係る墓石彫刻方法に用いる本発明に係る作業用ケースの使用状態を示す斜視図である。
【発明を実施するための最良の形態】
【００１６】
本発明に係る墓石彫刻方法は、墓石の彫り込み個所を洗浄する工程、前記墓石の彫り込み個所に選択したデザインシートを貼り付ける工程、前記墓石にサンドブラストセットを取り付ける工程、前記サンドブラストセットにより前記デザインシートの彫り込みデザイン部分にサンドブラスト処理を行う工程、前記サンドブラストセットを前記墓石から取り外す工程、前記サンドブラストによって彫り込んだ部分にエアブラシで着色する工程、及び、前記着色部分の乾燥後に前記デザインシートを除去する工程から成ることを特徴とするものである。
【００１７】
以下に、本発明を実施するための最良の形態につき、適宜図面を参照しつつ、工程順に説明する。なお、本発明に係る墓石彫刻方法を実施するに当たっては、予め依頼者が、種々のデザインの絵柄等の彫り込みデザイン１４ａがプリントされたデザインシート１４の中から、彫り込みを希望する彫り込みデザイン１４ａのデザインシート１４を選択し、あるいは、依頼者の要望に基づいて予め作成したデザインシート１４を用意しておく。
【００１８】
本発明に係る墓石彫刻方法の第一の工程は、墓石３０を、その彫り込み個所を中心にきれいに洗浄する工程である。この工程においては、特殊洗剤を用いて墓石３０の表面に付着している油分や汚れを洗い落とす作業が行われる。洗浄後、次工程のデザインシート１４の良好な貼付を可能にするために、タオル等を用いて水分を拭き取り、彫刻する面を乾燥させておく。
【００１９】
第二の工程は、墓石３０の彫刻を施す面に、予め用意したデザインシート１４を貼付する工程である。その貼付に当たっては、デザインシート１４と墓石表面との間に気泡が生じないよう留意する必要がある。というのは、気泡があると、彫り込みの際に研磨剤と気圧とが混ざって噴射されるために、気泡が存在する部分が傷付けられてデザインシート１４が剥がれ落ちてしまうおそれがあるためである。そのため、貼付作業は、専用工具を用いてデザインシート１４の表面をていねいに撫でるようにして貼っていくことが必要である。また、同時に、デザインシート１４の周囲部分に対する養生処理を行う。
【００２０】
第三の工程は、墓石にサンドブラストセットを取り付ける工程である。図１及び図２に示されるように、サンドブラストセットは、墓石の彫り込み部分を十分にカバーし得る大きさで、その彫り込み部分を外部から透視可能にした作業用ケース１と、サンドブラスト装置とを含む。
【００２１】
作業用ケース１の側面には、サンドブラスト装置のノズルコード引き込み口２が形成され、また、その前面には作業者の手挿入口３が形成され、更にその後面、即ち、墓石当接面には、彫り込み範囲を十分にカバーし得る大きさの作業用開口４が形成される。好ましくは、作業用開口４の周縁に、発泡ウレタン材等のパッキン５が配設される。このようにパッキン５を配することにより、作業用ケース１と墓石３０の彫り込み面との間の隙間からサンドや粉塵が飛散し、墓石３０を傷付けたり、周辺を汚したりすることが防止される。
【００２２】
ノズルコード引き込み口２には、先端にノズル７を備えたサンドブラスト装置本体６のノズルコード８が挿通され、手挿入口３には、作業者の腕を挿通する腕カバー９が設置される。また、作業用ケース１の底面には、集塵機１０の集塵ホース１１に接続される排塵口１２が形成される。
【００２３】
好ましい実施形態においては、作業用ケース１の前面の手挿入口３の上側に開口が設けられ、そこにガラス材１３が装脱可能に嵌め込まれる。その開口は、彫り込み作業を行う際にケース外から彫り込み個所を十分に視認できる大きさとされる。このように、開口を設けてそこにガラス材１３を装脱可能に嵌め込むようにしたのは、彫り込み作業中に粉塵が舞って、彫り込み個所の視認に差し支えが生じた場合に、ガラス材１３のみを外して洗浄することができるようにするためである。
【００２４】
墓石３０に対するサンドブラストセットの取り付けは、端部が作業用ケース１に固定されてループを形成する緊締バンド１５を墓石３０に回し、あるいは、作業用ケース１とは別体で環状を呈する緊締バンド１５を作業用ケース１と墓石３０とに掛け回し、作業用ケース１の作業用開口４（パッキン５を設けた場合はパッキン５）を、デザインシート１４を貼付した墓石３０の彫り込み面に密着させるようにして行う。そして、ノズルコード引き込み口２にノズルコード８を差し込み、排塵口１２に集塵機１０の集塵ホース１１を接続して準備完了となる。
【００２５】
第四の工程は、デザインシート１４の彫り込みデザイン１４ａ上にサンドブラスト処理を行う工程である。この作業に当たり作業者は、手を手挿入口３から腕カバー９を通してケース内に差し入れ（腕カバー９はケース内に入り込む）、ノズルコード８の先端のノズル７を把持する。かくしてサンドブラスト装置本体６を作動させ、ガラス材１３を透して目視しつつノズル７を、デザインシート１４の彫り込みデザイン１４ａ上を移動させることにより、サンドブラスト処理を行う。
【００２６】
ノズル７は、彫り込み面との間に一定の距離を置いて全体的に一定の速度で移動させるように操作し、彫り込みデザイン１４ａ部分を１〜２ｍｍほどの深さに彫り込む。なお、このサンドブラストによる彫り込みは、墓石３０の表面だけでなく、コーナー部分に対して行うことも可能である。そして、彫り込み完了後、デザインシート１４や墓石に付着している塵埃をきれいに除去する。
【００２７】
第五の工程は、サンドブラストセットを墓石３０から取り外す工程である。サンドブラストセットの墓石３０からの取り外しは、取り付けの場合と逆の操作をすればよい。
【００２８】
第六の工程は、サンドブラストによって彫り込んだ部分にエアブラシで着色する工程である。エアブラシとしては、一般のものを用いることができる。エアブラシによる着色は重ね塗り法によって行い、彫り込みの場合と同様に、墓石表面を撫でるように均等にむらなく塗料を吹き付けていく。エアブラシをかける前に、塗色部以外の部分を、粘着テープ等によって十分にマスキングする。
【００２９】
塗色に先立ち、シンナーで薄めた白色塗料で下塗りすることが、色をきれいに出す上で有効である。白色塗料の下塗りは、特に、グラデーション表現する場合に必要となり、石の下地が見えなくなる程度に塗色する。本発明においては、このように白色塗料を下塗りした後にグラデーション処理することによって、グラデーションをきれいに表現することができるという特徴があり、また、塗色工程の最後に金色塗料を薄く吹き付けることにより、ラメ効果を出すことができるという特徴もある。なお、着色後の自然劣化や色褪せを防ぎ、また、艶出しのために、エアブラシによって塗料の保護剤を吹き付けておくことが好ましい。
【００３０】
第六の工程は、着色部分の乾燥後にデザインシート１４、並びに、養生、マスキングをきれいに除去する工程である。
【００３１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００３２】
１      作業用ケース
２      ノズルコード引き込み口
３      手挿入口
４      作業用開口
５      パッキン
６      サンドブラスト装置本体
７      ノズル
８      ノズルコード
９      腕カバー
１０    集塵機
１１    集塵ホース    
１２    排塵口
１３    ガラス材
１４    デザインシート
１４ａ  彫り込みデザイン
１５    緊締バンド
【図１】
2011011319.tif 000003
【図２】
2011011319.tif 000004